(57)【要約】【課題】特別の構成のテレビを新たに提供し、受像表示画面３を有する本体２に高さ調節機能をもたせる。【解決手段】受像表示画面を有する本体がスタンド１の上端に支持される。テレビは液晶テレビであり、受像表示画面は液晶画面からなる。さらに、高さ調節機構がスタンドと組み合わされ、リモートコントロール装置１６によって高さ調節機構が駆動され、高さ調節機構によってスタンドが伸縮し、本体の高さが調節される。リモートコントロール装置によって角度調節機構が駆動され、本体がスタンドの長さ方向軸のまわりを回転し、本体の角度が調節されるようにすることが好ましい。【選択図】図１
2005094438.tif 000002
【特許請求の範囲】
【請求項１】
液晶画面からなる受像表示画面を有し、スタンドの上端に支持された本体と、
前記スタンドと組み合わされ、前記スタンドを伸縮させ、前記本体の高さを調節する高さ調節機構と、
リモートコントロール装置とからなり、
前記リモートコントロール装置によって前記高さ調節機構を駆動するようにしたことを特徴とする液晶テレビ。
【請求項２】
前記本体を前記スタンドの長さ方向軸のまわりに回転させ、前記本体の角度を調節する角度調節機構を備え、前記リモートコントロール装置によって前記角度調節機構を駆動するようにしたことを特徴とする請求項１に記載の液晶テレビ。
【発明の詳細な説明】
【技術分野】
【０００１】
この発明は、液晶テレビ（テレビジョン受信機）に関するものである。
【背景技術】
【０００２】
一般家庭の居間にあるテレビでは、普通、受像表示画面を有する本体が受け台またはスタンドの上端に支持される。その高さは一定である。これは長年の普遍概念であるということができるが、問題は視聴者の姿勢である。たとえば、視聴者が椅子に座っているとき、テレビの本体の高さが適当であり、その受像表示画面を正面から見ることはできても、視聴者は椅子に座っているとは限らない。座っていることに疲れ、そのまま居間に寝転び、その姿勢で本体の受像表示画面を見ることもある。この場合、当然のことではあるが、テレビの本体の高さが不適当であり、その受像表示画面を正面から見ることはできず、それを下方から見上げねばならず、相当見にくいことは日常経験するところである。
【０００３】
テレビの本体の角度も同様である。椅子に座っているとき、テレビの本体の角度が適当であり、その受像表示画面を正面から見ることはできても、たとえば、居間に寝転ぶとき、家具の位置の関係上、身体を大きくずらす必要があることも多い。この場合、テレビの本体の角度が不適当であり、その受像表示画面を正面から見ることはできない。
【０００４】
したがって、受像表示画面を有する本体に高さ調節機能をもたせることが要望されている。高さを調節することができれば、視聴者の姿勢に関係なく、受像表示画面を正面から見ることができる。受像表示画面を有する本体に角度調節機能をもたせることも要望されている。角度を調節することができれば、身体を大きくずらす必要があっても、受像表示画面を正面から見ることができる。
【０００５】
なお、テレビの本体の高さおよび角度を調節することはこれまでにも提案されている。実開平３−１２５８０号公報（特許文献１）に記載されているものがそれである。同公報のものでは、病院などの施設において、テレビの本体が天井から吊られ、適宜の機構によってその高さおよび角度が調節される。しかしながら、病院などの施設であればともかく、一般家庭の居間において、テレビの本体を天井から吊るなど適当ではなく、実用的ではないことは明らかである。
【０００６】
一方、最近、一般家庭のテレビとして液晶テレビが普及してきた。液晶テレビとは受像表示画面に液晶画面を使用したテレビのことである。たとえば、特開２００１−３３２０７４号公報（特許文献２）に記載されているものがそれである。液晶テレビの場合、これまでのテレビに比較すると、受像表示画面のある本体がきわめて薄く、きわめて軽い。したがって、液晶テレビであれば、その本体に高さおよび角度調節機能をもたせることも困難ではなく、その実用化も見込めると考えられるが、これまでのところ、それを具体化したものはなく、発想および提案もない。
【０００７】
したがって、この発明は、液晶テレビに着眼してなされたもので、特別の構成のテレビを新たに提供し、受像表示画面を有する本体に高さ調節機能をもたせることを目的とする。他の目的は、受像表示画面を有する本体に高さ調節機能だけではなく、角度調節機能ももたせることにある。
【特許文献１】実開平３−１２５８０号公報
【特許文献２】特開２００１−３３２０７４号公報
【発明の開示】
【０００８】
この発明によれば、受像表示画面を有する本体がスタンドの上端に支持される。テレビは液晶テレビであり、受像表示画面は液晶画面からなる。さらに、高さ調節機構がスタンドと組み合わされ、リモートコントロール装置によって高さ調節機構が駆動され、高さ調節機構によってスタンドが伸縮し、本体の高さが調節される。
【０００９】
さらに、好ましい実施例では、リモートコントロール装置によって角度調節機構が駆動され、本体がスタンドの長さ方向軸のまわりを回転し、本体の角度が調節される。
【発明を実施するための最良の形態】
【００１０】
以下、この発明の実施例を説明する。
【００１１】
図１はこの発明にかかるテレビを示す。このテレビは一般家庭の居間に設置するためのもので、スタンド１と本体２からなり、本体２は受像表示画面３を有し、スタンド１の上端に支持されている。また、このテレビは液晶テレビであり、受像表示画面３は液晶画面からなり、本体２はきわめて薄く、きわめて軽い。スタンド１はベース４から直立し、上下方向にのびる。
【００１２】
さらに、高さ調節機構がスタンド１と組み合わされており、高さ調節機構によってスタンド１が伸縮し、本体２の高さが調節される。この実施例では、図２に示すように、高さ調節機構に送りねじ５が使用され、スタンド１は円筒状、楕円筒状または角筒状の上側および下側部分６，７からなり、上側および下側部分６，７が二重筒状にはめ合わされ、送りねじ５は上側および下側部分６，７に挿入され、収容されている。
【００１３】
たとえば、上側部分６は円筒状のものであり、下側部分７も円筒状をなし、その径は上側部分６よりも大きい。そして、上側部分６が下側部分７に挿入され、はめ合わされているものであり、上側部分６は下側部分７に案内され、上昇および下降することができる。さらに、キー８が上側部分６に設けられ、キーみぞ９が下側部分７に形成され、キー８がキーみぞ９にはめ合わされており、上側部分６はキー８およびキーみぞ９に案内され、上昇および下降可能であるが、回転することはできない。そして、その上側および下側部分６，７内において、送りねじ５が上側および下側部分６，７内に挿入され、収容されているものである。送りねじ５は上側および下側部分６，７に同心に配置されている。
【００１４】
さらに、上側および下側部分６，７内において、高さ調節電気モータ１０が下側部分７に設けられ、固定され、送りねじ５に連結されており、ナット部材１１が上側部分６に設けられ、固定され、送りねじ５にねじ合わされている。したがって、高さ調節電気モータ１０によって送りねじ５を回転させると、送りねじ５およびナット部材１１によって上側部分６が上昇および下降し、スタンド１が伸縮する。これによって本体１の高さが調節されるものである。
【００１５】
さらに、角度調節機構が本体２とスタンド１間に設けられており、本体２がスタンド１の長さ方向軸のまわりを回転する。これによって本体２の角度が調節される。この実施例では、図３に示すように、ベアリング１２が本体２とスタンド１間に設けられており、本体２はベアリング１２に案内され、回転可能である。さらに、角度調節機構に遊星ギヤ１３が使用されており、スタンド１が本体２の底面を貫通し、本体２内において、固定ギヤ１４がスタンド１の上端に設けられ、固定され、角度調節電気モータ１５が本体２に設けられ、固定され、遊星ギヤ１３に連結されており、遊星ギヤ１３が固定ギヤ１４にかみ合わされている。したがって、角度調節電気モータ１５によって遊星ギヤ１３を回転させると、遊星ギヤ１３および固定ギヤ１４によって本体２が回転し、遊星ギヤ１３は固定ギヤ１４に沿って転動する。これによって本体２の角度が調節されるものである。
【００１６】
さらに、このテレビでは、リモートコントロール装置１６によって高さ調節電気モータ１０を駆動することができる。したがって、たとえば、視聴者が椅子に座っていることに疲れ、そのまま居間に寝転び、その姿勢で本体２の受像画面３を見るとき、自在に本体２の高さを調節することができ、その受像表示画面３を正面から見ることができる。
【００１７】
リモートコントロール装置１６によって角度調節電気モータ１５を駆動することもできる。したがって、たとえば、居間に寝転ぶとき、家具の位置の関係上、身体を大きくずらす必要があっても、自在に本体２の角度を調節することができ、その受像画面３を正面から見ることができる。
【００１８】
なお、このテレビは液晶テレビであり、受像表示画面３に液晶画面が使用されており、本体２はきわめて薄く、きわめて軽いことは前述したとおりである。したがって、高さ調節機構５，１０，１１をできるだけコンパクト化し、これをスタンド１と組み合わせることができ、スタンド１の外観は損なわれない。角度調節機構１３，１４，１５をできるだけコンパクト化し、これを本体２とスタンド１間に設けることができ、本体２の外観も損なわれない。高さ調節機構５，１０，１１および角度調節機構１３，１４，１５に大きい強度および動力は要求されず、構成は簡単であり、コストも低い。
【００１９】
なお、この実施例では、高さ調節電気モータ１０を下側部分７に設け、ナット部材１１を上側部分６に設けたものを説明したが、図４に示すように、反対に、高さ調節電気モータ１０を上側部分６に設け、送りねじ５に連結してもよい。さらに、ナット部材１１を下側部分７に設け、送りねじ５にねじ合わせると、高さ調節電気モータ１０によって送りねじ５を回転させ、送りねじ５およびナット部材１１によって上側部分６を上昇および下降させ、スタンド１を伸縮させることができ、本体２の高さを調節することができる。
【００２０】
角度調節機構をスタンド１とそのベース４間に設け、スタンド１および本体２をスタンド１の長さ方向軸のまわりに回転させ、本体２の角度を調節するようにしてもよい。
【００２１】
以上説明したように、この発明によれば、受像表示画面３を有する本体２に高さ調節機能をもたせることができる。受像表示画面３を有する本体２に角度調節機能をもたせることもできる。したがって、視聴者の姿勢および位置に関係なく、受像表示画面３を正面から見ることができ、所期の目的を達成することができるものである。
【図面の簡単な説明】
【００２２】
【図１】この発明の実施例を示す正面図である。
【図２】図１のスタンドの断面図である。
【図３】図１の本体の断面図である。
【図４】他の実施例を示す断面図である。
【符号の説明】
【００２３】
１  スタンド
２  本体
３  受像表示画面
４  ベース
５  送りねじ
６  上側部分
７  下側部分
１０  高さ調節電気モータ
１１  ナット部材
１３  遊星ギヤ
１４  固定ギヤ
１５  角度調節電気モータ
１６  リモートコントロール装置
【図１】
2005094438.tif 000003
【図２】
2005094438.tif 000004
【図３】
2005094438.tif 000005
【図４】
2005094438.tif 000006